(57)【要約】【課題】不審者のエレベーターへの乗り込みを防止し、かつ玄関階でのエレベーターの待時間を短縮する。【解決手段】建物の玄関階３と屋外とに通じるゲート装置４を設ける。ゲート装置４は側壁５と、外ゲート６と内ゲート７からなっている。居住者がカード挿入口９に認証カードを挿入し、許可された人と判断されると外ゲート６が開く。居住者はゲート装置４内を通過すると外ゲート６は閉まり、内ゲート７が開く。居住者はカード取出口１０から認証カードを取り出して玄関階３へ入る。一方、認証カードが確認されると、エレベーター２に対して玄関階への呼びを登録し、居住者はこれに応じて玄関階に到着したエレベーターに乗車する。【選択図】　　　　図１
2004075361.tif 000002
【特許請求の範囲】
【請求項１】
建物の玄関階の乗場呼び信号が入力されると、エレベーターに対して上記玄関階の乗場呼びを登録する装置において、並設された側壁によって上記玄関階の内外に通じる通路が形成され、この通路の上記玄関階側に内ゲートを、上記建物外側に外ゲートを有し、それぞれ上記通路を開閉するゲート装置を設け、このゲート装置の外ゲート側で特定個人が識別されると、上記外ゲート及び内ゲートを開くゲート開放手段と、上記特定個人が識別されると上記玄関階の乗場呼び信号を出力する乗場呼び信号出力手段とを備えたことを特徴とするエレベーターの乗場呼び自動登録装置。
【請求項２】
建物の玄関階の乗場呼び信号が入力されると、エレベーターに対して上記玄関階の乗場呼びを登録する装置において、並設された側壁によって上記玄関階の内外に通じる通路が形成され、この通路の上記玄関階側に内ゲートを、上記建物外側に外ゲートを有し、それぞれ上記通路を開閉するゲート装置と、このゲート装置の外ゲート側の近傍にこのゲート装置を通過する人数を入力する入力盤とを設け、上記外ゲート側で特定個人が識別され、かつ上記入力盤に上記人数が入力されると、上記外ゲート及び内ゲートを開くゲート開放手段と、上記特定個人が識別されると上記玄関階の乗場呼び信号を出力する乗場呼び信号出力手段とを備えたことを特徴とするエレベーターの乗場呼び自動登録装置。
【請求項３】
ゲート装置の外ゲート側で識別された特定個人以外の者又は入力盤に入力された人数以外の者が検出されると上記外ゲートを閉める不正通行阻止手段を設けたことを特徴とする請求項１又は請求項２記載のエレベーターの乗場呼び自動登録装置。
【請求項４】
建物の玄関階の乗場呼び信号が入力されると、エレベーターに対して上記玄関階の乗場呼びを登録する装置において、並設された側壁によって上記玄関階の内外に通じる通路が形成され、この通路の上記玄関階側に内ゲートを、上記建物外側に外ゲートを有し、それぞれ上記通路を開閉するゲート装置と、このゲート装置の外ゲートの近傍に居住室の部屋番号を入力する入力盤とを設け、上記部屋番号が入力されると、上記外ゲートの近傍と上記居住室とを接続する通話手段と、上記居住室で操作することにより上記外ゲートを開くゲート遠隔開放手段と、上記居住室の部屋番号が入力されると上記玄関階の乗場呼び信号を出力する乗場呼び信号出力手段とを備えたことを特徴とするエレベーターの乗場呼び自動登録装置。
【発明の詳細な説明】
【０００１】
【発明の属する技術分野】
この発明は、エレベーターに対して建物の玄関階の乗場呼びを自動的に登録する装置に関するものである。
【０００２】
【従来の技術】
従来、エレベーター内の犯罪を防止するための装置として、かご内にビデオカメラを設置し、その映像を記録媒体に録画するなどして、かご内を監視する装置がある。また、最近では、あらかじめマンション居住者の指紋情報をデータベース化しておき、居住者がエレベーター利用時、指紋を入力することにより、利用者の行先階を割り出して、乗場呼び又は行先呼びの予備登録をする指紋照合システム等が提案されている。
【０００３】
例えば、特開平２−４３１８５号公報には、基準階に指紋検出装置を設置して、各人物の指紋情報を入力して、この指紋情報と個人別データベース内の指紋情報とを照合して、エレベーターの運行を制御するものが提案されている。また、特開２０００−１６９０５４号公報には、かご内にビデオカメラを設置し、乗場にテレビモニタを設置するとともに、テレビモニタのうち１つを指示して、この指示されたテレビモニタにビデオカメラの映像を表示するものが提案されている。
【０００４】
【発明が解決しようとする課題】
上記のようなエレベーター内の防犯装置のうち、指紋情報を利用するものでは、各人の指紋照合によって運行制御しているため、不審者の進入を防止することはできるが、データベース内に指紋が登録されていない訪問者は、エレベーターを利用できないという問題点がある。また、ビデオカメラで監視するものでは、かご内の映像を表示しているため、不審者がいることは検知できるが、その不審者の進入を防止することはできないという問題点がある。
【０００５】
この発明は上記問題点を解消するためになされたもので、不審者のエレベーターへの進入を防止し、かつ玄関階でのエレベーター待時間を短縮できるようにしたエレベーターの乗場呼び自動登録装置を提供することを目的とする。
【０００６】
【課題を解決するための手段】
この発明の第１発明に係るエレベーターの乗場呼び自動登録装置は、建物の玄関階の乗場呼び信号が入力されると、エレベーターに対して上記玄関階の乗場呼びを登録する装置において、並設された側壁によって上記玄関階の内外に通じる通路が形成され、この通路の上記玄関階側に内ゲートを、上記建物外側に外ゲートを有し、それぞれ上記通路を開閉するゲート装置を設け、このゲート装置の外側で特定個人が識別されると、上記外ゲート及び内ゲートを開くゲート開放手段と、上記特定個人が識別されると上記玄関階の乗場呼び信号を出力する乗場呼び信号出力手段とを備えたものである。
【０００７】
また、第２発明に係るエレベーターの乗場呼び自動登録装置は、建物の玄関階の乗場呼び信号が入力されると、エレベーターに対して上記玄関階の乗場呼びを登録する装置において、並設された側壁によって上記玄関階に内外に通じる通路が形成され、この通路の上記玄関階側に内ゲートを、上記建物外側に外ゲートを有し、それぞれ上記通路を開閉するゲート装置と、このゲート装置の外ゲート側の近傍にこのゲート装置を通過する人数を入力する入力盤とを設け、上記外ゲート側で特定個人が識別され、かつ上記入力盤に上記人数が入力されると、上記外ゲート及び内ゲートを開くゲート開放手段と、上記特定個人が識別されると上記玄関階の乗場呼び信号を出力する乗場呼び信号出力手段とを備えたものである。
【０００８】
また、第３発明に係るエレベーターの乗場呼び自動登録装置は、第１発明又は第２発明のものにおいて、ゲート装置の外ゲート側で識別された特定個人以外の者又は入力盤に入力された人数以外のものが検出されると、上記外ゲートを閉める不正通行阻止手段を設けたものである。
【０００９】
また、第４発明に係るエレベーターの乗場呼び自動登録装置は、建物の玄関階の乗場呼び信号が入力されると、エレベーターに対して上記玄関階の乗場呼びを登録する装置において、並設された側壁によって上記玄関階の内外に通じる通路が形成され、この通路の上記玄関階側に内ゲートを、上記建物外側に外ゲートを有し、それぞれ上記通路を開閉するゲート装置と、このゲート装置の外ゲートの近傍に居住室の部屋番号を入力する入力盤とを設け、上記部屋番号が入力されると、上記外ゲートの近傍と上記居住室とを接続する通話手段と、上記居住室で操作することにより上記外ゲートを開くゲート遠隔開放手段と、上記居住室の部屋番号が入力されると上記玄関階の乗場呼び信号を出力する乗場呼び信号出力手段とを備えたものである。
【００１０】
【発明の実施の形態】
実施の形態１．
図１〜図３はこの発明の第１〜第３発明の一実施の形態を示す図で、図１はマンション出入口のゲート部分の斜視図、図２はマンション１階部分の平面図、図３は動作フローチャートであり、図中同一符号は同一部分を示す。
【００１１】
図１及び図２において、１はマンション、２はマンション１に設置されたエレベーター、３は玄関階に設けられたエレベーターホール、４は屋外とエレベーターホール３を連絡するゲート装置、５は互いに並設され屋外とエレベーターホール３間の連絡路を形成する側壁であり、側壁５，５間には通路が形成され、その間隔は人が１人通行可能な幅になっている。６は側壁５，５の屋外側に設けられ駆動機（図示しない）によって左右方向へ開閉する外ゲートである。
【００１２】
７は側壁５，５のエレベーターホール３側に設けられ駆動機（図示しない）によって、左右方向へ開閉する内ゲート、８は側壁５の屋外側の端部に設置され、テンキー等によってマンション１の居住者の部屋番号又は訪問者人数を入力する入力盤、９は入力盤８に設けられたカード挿入口、１０は側壁５のエレベーターホール３側の端部に設けられたカード取出し口である。
なお、ゲート６，７内には光ビーム等で通過人数を計測する装置が設置され、また側壁５の他側には（図１の側壁５，５の右側）には、上記と同機能の外出用の入力盤、カード挿入口及びカード取出し口が設置されているが、図示は省略する。
【００１３】
次に、この実施の形態の動作を図３を参照して説明する。
居住者１人通過の場合
居住者がマンション１に帰着して、ステップＳ１でカード挿入口９に認証カードを挿入すると、ステップＳ２で認証カードの記録内容が読み取られる。ステップＳ３で認証カードの記録内容を個人情報データベース１２の内容と照合して、入場可否を判断する。入場否と判断するとステップＳ４へ進み、外ゲート６は開かない。
【００１４】
入場可と判断すると、ステップＳ５へ進み、外ゲート６は開き、ステップＳ６で居住者はゲート装置４内を通過する。ステップＳ７で外ゲート６が閉まり、同時にステップＳ８で内ゲート７が開く。一方、カード挿入口９に挿入された認証カードは、側壁５内を移動して（駅等の自動改札機と同様のため詳細は省略）カード取出口１０から排出されるので、居住者はその認証カードを取り出す。ステップＳ９で居住者はゲート装置４からエレベーターホール３に出る。ステップＳ１０で内ゲート７は閉まる。
【００１５】
一方、ステップＳ２で認証カードの記録内容が読み取られると、その居住者の最寄りのエレベーター２の乗場呼び信号が出力され、ステップＳ１１で玄関階の乗場呼びが登録される。そして、ステップＳ１２で居住者は、上記玄関階への呼びに応じて到着したエレベーター２に乗車する。ここで、ステップＳ１〜Ｓ５はゲート開放手段を、ステップＳ２は乗場呼び信号出力手段を構成している。
【００１６】
（２）複数人通過の場合
居住者が家族と共に通過する場合、又は居住者が知人と共に通過する場合は、ステップＳ１で認証カードを挿入するとともに、ステップＳ１３で入力盤８を操作して本人を含む人数を入力する。ステップＳ２で認証カードの記録内容が読み取られるとともに、上記入力された人数が記憶される。以下、ステップＳ３、Ｓ５と進み、ステップＳ６で上記入力された人数が通過したことが検出され、ステップＳ７〜Ｓ９と進み、ステップＳ９で上記入力された人数が通過すれば、エレベーターに乗車できることになる。
ここで、ステップＳ１〜Ｓ５，Ｓ１３はゲート開放手段を構成している。
【００１７】
（３）カード挿入者以外通過の場合
ステップＳ１４でカード挿入者以外の者又は入力盤８で入力した人数以外の人数が通過した場合は、ステップＳ１５で異常が検出される。すなわち、カード挿入者以外の者又は入力人数以外の者は不正通行者と見なされる。これで、ステップＳ７で外ゲート６が閉まり、不正通行者は入場不可となる。ここで、ステップＳ１４，Ｓ１５，Ｓ７は不正通行阻止手段を構成している。
【００１８】
このようにして、ゲート装置４には特定個人及びこの特定個人が入力した複数人数以外は通行できないので、不審者がエレベーターホールに入ること、換言すればエレベーター２に乗り込むことを事前に防止することが可能となる。また、ゲート通過時にエレベーターの呼びを登録するため、エレベーターの待時間を短縮することが可能になる。
【００１９】
実施の形態２．
図４はこの発明の第４発明の一実施の形態を示す動作フローチャートである。なお、図１及び図２は実施の形態２にも共用する。
この実施の形態では、入力盤８にインタホーンが設けられている。また、ゲート６は居住者が部屋からの操作で遠隔開放できるようにしてある。上記以外は実施の形態１と同様の構成になっており、外来者だけが訪問して来た場合に対応するものである。
【００２０】
次に、この実施の形態の動作を説明する。
ステップＳ２１で外来者が訪問すると、ステップＳ２２で外来者は入力盤８で訪問先の居住者宅の部屋番号を入力する。ステップＳ２３で入力盤８のインタホーンは訪問先居住者宅のインタホーンに接続され、居住者と訪問者は会話する。ステップＳ２４で居住者は訪問者の入場可否を判断する。入場否と判断すると、居住者は入場のための処置をせず、ステップＳ２５へ進み、外ゲート６は開かない。
【００２１】
入場可と判断すると、ステップＳ２６へ進み、居住者は部屋から操作により外ゲート６を開く。これで、ステップＳ２７で訪問者はゲート装置４内を通過する。ステップＳ２８で外ゲート６が閉まり、同時に、ステップＳ２９で内ゲート７が開く。ステップＳ３０で訪問者はゲート装置４からエレベーターホール３に出る。ステップＳ３１で外ゲート６は閉まる。
一方、ステップＳ２２で入力盤８で部屋番号を入力すると、その部屋番号に相当する部屋の最寄りのエレベーター２の乗場呼び信号が出力され、ステップＳ３２で玄関階の乗場呼びが登録される。ステップＳ３３で訪問者は、上記玄関階への呼びに応じて到着したエレベーターに乗車する。
【００２２】
ここで、ステップＳ２２，Ｓ２３は通話手段を、ステップＳ２６はゲート遠隔開放手段を構成している。
このようにして、外来者は外ゲート６の前で居住者と連絡を取り、居住者が入場可否を判断してから外ゲート６を遠隔開放するようにしたため、カード等により個人識別することなく、入場可否を確実に判断することが可能となる。また、外来者のエレベーターの待時間を短縮することが可能になる。
【００２３】
【発明の効果】
以上説明したとおりこの発明の第１発明では、玄関階の内外に通じる通路に外ゲート及び内ゲートを有するゲート装置を設け、外ゲート側で特定個人が識別されると、外ゲート及び内ゲートを開き、また特定個人が識別されると玄関階の乗場呼びを登録するようにしたので、特定個人を玄関階へ導入することができる。また、エレベーターの待時間を短縮することができる。
【００２４】
また、第２発明では、ゲート装置の外ゲート側で特定個人が識別され、かつ通過人数が入力されると、外ゲート及び内ゲートを開き、また特定個人が識別されると玄関階の乗場呼びを登録するようにしたので、上記入力人数を玄関階へ導入することができる。また、エレベーターの待時間を短縮することができる。
【００２５】
また、第３発明では、ゲート装置の外ゲート側で識別された特定個人以外の者の又は入力人数以外の者が検出されると、外ゲートを閉めるようにしたので、不審者がエレベーターに乗り込むことを事前に防止することができる。
【００２６】
また、第４発明では、外来者がゲート装置の外ゲート側から居住者の部屋番号を入力すると、外ゲート側と居住者とを通話可能に接続し、居住者からの操作により外ゲートを遠隔開放するようにしたので、カード等により個人識別することなく、入場可否を確実に判断することができる。また、外来者のエレベーターの待時間を短縮することができる。
【図面の簡単な説明】
【図１】この発明の実施の形態１を示すマンションの出入口のゲート部分の斜視図。
【図２】この発明の実施の形態１を示すマンション１階部分の平面図。
【図３】この発明の実施の形態１を示す動作フローチャート。
【図４】この発明の実施の形態２を示す動作フローチャート。
【符号の説明】
１　マンション、　２　エレベーター、　３　玄関階（エレベーターホール）、　４　ゲート装置、　５　側壁、　６　外ゲート、　７　内ゲート、　８　入力盤、　９　カード挿入口、　１０　カード取出口。
Ｓ１〜Ｓ５　ゲート開放手段、　Ｓ２　乗場呼び信号出力手段、　Ｓ１〜Ｓ５，Ｓ１３　ゲート開放手段、　Ｓ１４，Ｓ１５，Ｓ７　不正通行阻止手段、　Ｓ２２，Ｓ２３　通話手段、　Ｓ２６　ゲート遠隔開放手段。
【図１】
2004075361.tif 000003
【図２】
2004075361.tif 000004
【図３】
2004075361.tif 000005
【図４】
2004075361.tif 000006